(57)【要約】【課題】封口剤を紫外線で硬化するさい、紫外線が画素部や液晶に照射され、画素トランジスタの特性変動や液晶等の有機材料の劣化が起こり、液晶パネルが表示ムラ不良を発生することがある。【解決手段】液晶を注入した液晶パネルの注入口を上にして個別に保持し、該注入口に紫外線硬化型樹脂を塗布して紫外線を照射し封口する液晶パネル封口治具であって、該液晶パネル封口治具は、前記液晶パネルの注入口を形成するシール材より上部の側面が露出し、液晶パネル封口治具側面から前記注入口に照射して透過した紫外線は反射されない構造であるとともに液晶パネルの表示領域に接触しないことを特徴とする液晶パネル封口治具とする。【選択図】図１
2010066485.tif 000002
【特許請求の範囲】
【請求項１】
液晶を注入した液晶パネルの注入口を上にして個別に保持し、該注入口に紫外線硬化型樹脂を塗布し、紫外線を照射して封口する液晶パネル封口治具であって、該液晶パネル封口治具は、前記液晶パネルの注入口を形成するシール材より上部の側面が露出し、液晶パネル封口治具側面から前記注入口に照射して透過した紫外線は反射されない構造であるとともに液晶パネルの表示領域に接触しないことを特徴とする液晶パネル封口治具。
【請求項２】
液晶パネル封口治具の材料は紫外線を透過しないことを特徴とする請求項１記載の液晶パネル封口治具。
【発明の詳細な説明】
【技術分野】
【０００１】
本発明は液晶パネル封口治具に関するものである。
【背景技術】
【０００２】
図３は本発明に係る液晶パネルの正面図（Ａ）と側面図（Ｂ）である。液晶パネル１０は第一基板１１、第二基板１２を一部に注入口１４を形成した外周シール材１３で貼り合わせ、第一基板１１、第二基板１２とシール材１３で形成された空隙に注入口１４より液晶（不図示）を注入し、注入口１４を封口剤１５により封止して完成する。封口剤１５は紫外線硬化型樹脂が使用され、封口剤１５を注入口１４に塗布して紫外線を照射し、硬化させることで封止する。１６は画像の表示領域である。
【０００３】
図４は従来技術による液晶パネルの封口方法を説明するための図で、（Ａ）は上面図、（Ｂ）は正面図である。複数個の、所定量の液晶の注入を済ませた液晶パネル４３とクッション材４２とを交互に積み重ねて、アルミニウム等の金属板４１で挟んで加圧し、注入口に紫外線硬化型樹脂による封口剤４５を注射針などで塗布した後、封口剤４５が注入口の内部へ表面張力により所定の寸法以上入り込んだら遮光マスク４４を介して封口剤４５が短時間内に硬化するのに充分な高光量の紫外線を照射して（図４（Ｂ）の矢印方向）封止作業が完了する。（特許文献１参照）
【０００４】
図５は従来技術による液晶パネルの他の封口方法を説明するための図で正面断面図である。複数個並べられた液晶パネル１０全体を覆うように遮光マスク（不図示）が設けられている。遮光マスクには各液晶パネル１０における注入口の封口剤１５が存在する箇所に開口部が設けられている。紫外線は矢印の如く封口剤１５の上部から照射される。開口部には照射光線が各液晶パネル１０の両基板側に反射するように反射板５１ａ、５１ｂが設けられている。
【０００５】
紫外線５２は封口剤１５の上部から直接照射し、紫外線５３は反射板５１ａで反射され、紫外線５４は反射板５１ｂで反射されそれぞれ基板側に照射される。反射された紫外線は液晶には照射しないように設計されている。（特許文献２参照）
【０００６】
【特許文献１】特開平９−４３６１５号公報
【特許文献２】特開平１０−２７４７７６号公報
【発明の開示】
【発明が解決しようとする課題】
【０００７】
従来技術による封口剤への紫外線照射は封口剤の上部から液晶側に向かって照射されるため、封口剤を透過して又は基板を透過して画素部に照射される部分があり、画素部に紫外線が照射されると、画素トランジスタの特性変動や液晶等の有機材料の劣化が起こり、液晶パネルに表示ムラ不良を発生させる原因となっていた。それぞれ液晶パネル封口治具が大きく液晶パネルの組込みが容易でなく、封口治具も高価なものになっていた。
【課題を解決するための手段】
【０００８】
液晶を注入した液晶パネルの注入口を上にして個別に保持し、該注入口に紫外線硬化型樹脂を塗布し、紫外線を照射して封口する液晶パネル封口治具であって、該液晶パネル封口治具は、前記液晶パネルの注入口を形成するシール材より上部の側面が露出し、液晶パネル封口治具側面から前記注入口に照射して透過した紫外線は反射されない構造であるとともに液晶パネルの表示領域に接触しないことを特徴とする液晶パネル封口治具とする。さらに、液晶パネル封口治具の材料は紫外線を透過しない材料で形成する。
【発明の効果】
【０００９】
１個対応の封口治具であり、封口剤には紫外線が照射されるが、画素部や液晶には紫外線が照射されないので、従来技術の問題であった画素トランジスタの特性変動や液晶等の有機材料の劣化が起こらない。１個対応の封口治具であり、製造が容易であり、また液晶パネルの組込み取り外しが容易であり、液晶パネルの表示領域を傷つけることがない。
【発明を実施するための最良の形態】
【００１０】
液晶を注入した液晶パネルの注入口を上にして個別に保持し、該注入口に紫外線硬化型樹脂を塗布し、紫外線を照射して封口する液晶パネル封口治具であって、該液晶パネル封口治具は、前記液晶パネルの注入口を形成するシール材より上部の側面が露出し、液晶パネル封口治具側面から前記注入口に照射して透過した紫外線は反射されない構造とする。
【実施例１】
【００１１】
図１は本発明の一実施例を示す液晶パネル封口治具に液晶パネルをセットした正面図（Ａ）、側面断面図（Ｂ）、上面図（Ｃ）である。液晶パネル封口治具１は一体で成形されたものであり、図１（Ａ）に示すように、上部の開口部から液晶パネル１０のシール材１３で形成された注入口１４を上にして落し込む構造である。液晶パネル１０を落とし込むと封口剤１５より上部が液晶パネル封口治具１の上部より露出する大きさに設計されている。
【００１２】
液晶パネル封口治具１には図１に示すように液晶パネル１０の表示領域１６（図３参照）より外側を案内する溝部２、３、５が形成されており、液晶パネル封口治具１の内部は表示領域１６と液晶パネル封口治具１が接触しないように凹部４が形成されている。液晶パネル封口治具１は紫外線を透過しない材料（例えばアルミニウム合金）で形成される。
【００１３】
注入口１４の上部に封口剤１５を塗布し、紫外線は図１（Ｂ）（図１（Ｃ）のＡ−Ａ断面図）の矢印６で示すように液晶パネル１０の側面から照射する。紫外線は封口剤１５を透過して封口剤１５を硬化させるが、透過した紫外線はそのまま進み、反射しない紫外線照射装置（不図示）とする。第一基板１１、第二基板１２の上部（外周シール材１３より外側）に照射された紫外線も第一基板１１、第二基板１２を透過する。
【００１４】
第二基板１２が不透明（例えばシリコン基板）な場合は紫外線が反射されるが、反射光は第一基板１１を透過するので乱反射により画素トランジスタの特性変動や液晶等の有機材料に照射される可能性は極めて少ない。
【実施例２】
【００１５】
図２は本発明の他の実施例を示す液晶パネル封口治具に液晶パネルをセットした正面図（Ａ）、側面断面図（Ｂ）、上面図（Ｃ）である。液晶パネル封口治具２０は筐体２１と筐体２２で構成されたものであり、図２に示すように、筐体２１と筐体２２で液晶パネル１０を挟持する構造であり、液晶パネル１０を組み込むと封口剤１５より上部が液晶パネル封口治具２０の上部より露出する大きさに設計されている。
【００１６】
液晶パネル封口治具２０の筐体２１には、図２（Ｂ）（図２（Ｃ）のＢ−Ｂ断面図）に示すように液晶パネル１０の表示領域１６より外側を筐体２２の凸部２３と挟持する凸部２３が形成されており、凸部２３の内側は表示領域１６と筐体２１が接触しないように凹部２４が形成されている。同様に筐体２２の凸部２３の内側にも凹部２４が形成されている。各筐体は紫外線を透過しない材料（例えばアルミニウム合金）で形成されか、表面処理されている。
【００１７】
筐体２１、２２には液晶パネル１０の外周をガイドするための壁部２６、２７が形成されており、例えば、筐体２１の壁部２６をガイドとして液晶パネル１０を位置決めして組み込み、筐体２２を筐体２１に組み立てる。筐体２１と筐体２２の組立ては、例えば、一方にガイドピン、他方にガイド穴があればよく、その他一般的な組立構造で可能である。
【００１８】
シール材１３で形成された注入口１４の上部に封口剤１５を塗布し、紫外線は図２（Ｂ）の矢印２５で示すように液晶パネルの側面から照射する。紫外線は封口剤１５を透過して封口剤１５を硬化させるが、透過した紫外線はそのまま進み、反射しない紫外線照射装置（不図示）とする。第一基板１１、第二基板１２の上部（外周シール材１３より外側）に照射された紫外線も第一基板１１、第二基板１２を透過する。
【００１９】
第二基板１２が不透明（例えばシリコン基板）な場合は紫外線が反射されるが、反射光は第一基板１１を透過するので乱反射により画素トランジスタの特性変動や液晶等の有機材料に照射される可能性は極めて少ない。
【図面の簡単な説明】
【００２０】
【図１】本発明の一実施例を示す液晶パネル封口治具に液晶パネルをセットした正面図（Ａ）、側面断面図（Ｂ）、上面図（Ｃ）
【図２】本発明の他の実施例を示す液晶パネル封口治具に液晶パネルをセットした正面図（Ａ）、側面断面図（Ｂ）、上面図（Ｃ）
【図３】本発明に係る液晶パネルの正面図（Ａ）と側面図（Ｂ）
【図４】従来技術による液晶パネルの封口方法を説明するための図で、（Ａ）は上面図、（Ｂ）は正面図
【図５】従来技術による液晶パネルの他の封口方法を説明するための図で正面断面図
【符号の説明】
【００２１】
１    液晶パネル封口治具
２    溝部
３    溝部
４    凹部
５    溝部
６    矢印
１０    液晶パネル
１１    第一基板
１２    第二基板
１３    シール材
１４    注入口
１５    封口剤
１６    表示領域
２０    液晶パネル封口治具
２１    筐体
２２    筐体
２３    凸部
２４    凹部
２５    矢印
２６    壁部
２７    壁部
４１    金属板
４２    クッション材
４３    液晶パネル
４４    彩工マスク
４５    封口剤
５１ａ  反射板
５１ｂ  反射板
５２    紫外線
５３    紫外線
５４    紫外線
【図１】
2010066485.tif 000003
【図２】
2010066485.tif 000004
【図３】
2010066485.tif 000005
【図４】
2010066485.tif 000006
【図５】
2010066485.tif 000007